(57)【要約】【課題】通信感度に優れた電子機器を提供すること。【解決手段】外面の一部に表示領域が設けられた筐体と、前記筐体のうち前記表示領域を囲う部分の内面側に設けられたアンテナ部と、前記アンテナ部を用いて情報を通信させる制御部とを備える。【選択図】図１
2013038650.tif 000002
【特許請求の範囲】
【請求項１】
外面の一部に表示領域が設けられた筐体と、
前記筐体のうち前記表示領域を囲う部分の内面側に設けられたアンテナ部と、
前記アンテナ部を用いて情報を通信させる制御部と
を備える電子機器。
【請求項２】
前記筐体は、前記表示領域を保護する保護部材を有し、
前記アンテナ部は、前記保護部材に設けられている
請求項１に記載の電子機器。
【請求項３】
前記表示領域は、矩形に形成されており、
前記アンテナ部は、前記表示領域の辺に沿って設けられている
請求項１又は請求項２に記載の電子機器。
【請求項４】
前記アンテナ部は、複数の前記辺に沿って設けられている
請求項３に記載の電子機器。
【請求項５】
前記筐体のうち前記表示領域を囲う部分の内面には、絶縁材料を含んだ遮光部が設けられており、
前記アンテナ部は、前記遮光部上に設けられている
請求項１から請求項４のうちいずれか一項に記載の電子機器。
【請求項６】
前記アンテナ部は、薄膜状に形成されている
請求項１から請求項５のうちいずれか一項に記載の電子機器。
【請求項７】
前記筐体に設けられた操作部を更に備え、
前記アンテナ部は、前記操作部から外れた位置に設けられている
請求項１から請求項６のうちいずれか一項に記載の電子機器。
【発明の詳細な説明】
【技術分野】
【０００１】
本発明は、電子機器に関する。
【背景技術】
【０００２】
携帯電話や携帯情報端末などの電子機器として、例えば特許文献１が知られている。特許文献１に示すような電子機器においては、操作部分にボタンを設けた構成が知られている。このような電子機器において、例えば特許文献２に示すように、アンテナが設けられた構成が知られている。更に、アンテナについては、近年では板状に設けられた筐体の外表面に通信用のフィルムアンテナが設けられた構成が知られている。
【先行技術文献】
【特許文献】
【０００３】
【特許文献１】特開２０１０−８６０８９号公報
【特許文献２】特開２０１１−１８９８８号公報
【発明の概要】
【発明が解決しようとする課題】
【０００４】
しかしながら、上記構成のように筐体の外表面にフィルムアンテナが設けられた構成では、例えば使用者によって筐体が保持されると、当該使用者の手がフィルムアンテナに触れたり、使用者の手でフィルムアンテナが覆われたりして、通信感度が低下する場合がある。
【０００５】
以上のような事情に鑑み、本発明は、通信感度に優れた電子機器を提供することを目的とする。
【課題を解決するための手段】
【０００６】
本発明の第一の態様に従えば、外面の一部に表示領域が設けられた筐体と、前記筐体のうち前記表示領域を囲う部分の内面側に設けられたアンテナ部と、前記アンテナ部を用いて情報を通信させる制御部とを備える。
【発明の効果】
【０００７】
本発明の態様によれば、通信感度に優れた電子機器を提供することができる。
【図面の簡単な説明】
【０００８】
【図１】本発明の実施の形態に係る携帯情報端末の構成を示す斜視図。
【図２】本実施形態に係る携帯情報端末の一部の構成を示す断面図。
【図３】本実施形態に係る携帯情報端末の一部の構成を示す平面図。
【図４】本実施形態に係る携帯情報端末の一部の構成を示す断面図。
【図５】本実施形態に係る携帯情報端末の制御装置の構成を示すブロック図。
【発明を実施するための形態】
【０００９】
以下、図面を参照して、本発明の実施の形態を説明する。  
図１は、本実施形態に係る携帯情報端末１００の構成を示す斜視図である。  
図１に示すように、携帯情報端末１００は、筐体１０、表示部２０、操作部３０、アンテナ部４０及び制御装置ＣＯＮＴを有している。
【００１０】
筐体１０は、例えば矩形の板状に形成されている。筐体１０は、表示部２０及び操作部３０を保持する。  
表示部２０は、筐体１０の第一面１１のほぼ中央部に設けられている。筐体１０のうち当該表示部２０が設けられる面を、以下表示面１１と表記する。表示部２０は、例えば液晶装置や有機ＥＬ装置などを有する表示パネル２１を有している。表示パネル２１は、表示領域２１ａに画像などの情報を表示させる。表示パネル２１のうち表示領域２１ａには、例えば不図示のタッチパネルが配置されている。
【００１１】
操作部３０は、筐体１０のうち表示面１１を囲む４辺に相当する４つの側面１０ａ〜１０ｄに設けられている。操作部３０は、側面１０ａに設けられた側部検出部３１、側面１０ｂに設けられた側部検出部３２、側面１０ｃに設けられた側部検出部３３及び側面１０ｄに設けられた側部検出部３４を有している。操作部３０は、側部検出部３１〜３４において外部からの（例えばユーザの）接触の有無及び接触位置を検出する。
【００１２】
アンテナ部４０は、携帯情報端末１００の外部との間で無線通信を行う部分である。アンテナ部４０は、表示面１１側に表示領域２１ａに沿って形成されている。したがって、アンテナ部４０は、側面１０ａ〜１０ｄに配置された側部検出部３１〜３４（操作部３０）から外れた位置に設けられている。また、アンテナ部４０は、筐体１０の内面側に設けられている。
【００１３】
図２は、表示パネル２１の一部の構成を示す図である。  
図２に示すように、表示パネル２１は、表示領域２１ａに表示させる画像などの情報を形成する表示素子２２と、当該表示素子２２を保護する保護基板２３とを有している。表示パネル２１は、表示素子２２の周囲に保護基板２３が張り出した構成となっている。当該張出部分２６は、表示領域２１ａを囲うように設けられる。以下、保護基板２３のうち、筐体１０の外側に配置される面を第一面２３ａと表記し、筐体１０の内側に配置される面を第二面２３ｂと表記する。
【００１４】
保護基板２３の第一面２３ａは、筐体１０の外側に露出される。保護基板２３の張出部分２６のうち第二面２３ｂ上には、遮光膜２４が設けられている。遮光膜２４は、例えば樹脂材料に光を遮断する材料（例えばカーボンなどの黒色粒子）を混合させた状態の薄膜である。遮光膜２４が設けられていることにより、表示領域２１ａの外側には画像等が表示されないようになっている。
【００１５】
アンテナ部４０は、保護基板２３の張出部分２６のうち第二面２３ｂ側に設けられている。具体的には、アンテナ部０４０は、遮光膜２４上に配置されている。アンテナ部４０は、例えば薄膜状に形成されている。保護基板２３は、アンテナ部４０上に設けられた接着剤２５を介して筐体１０に接続されている。接着剤２５は、例えばポリイミドなどを用いて形成されている。
【００１６】
図３は、表示パネル２１の構成を示す平面図である。  
図３に示すように、図３では、表示領域２１ａの図中右側にアンテナ部４０が配置されており、図中上下方向に延在した構成が示されている。なお、図３に一点鎖線で示したように、表示領域２１ａに対して図中上側、左側、下側のそれぞれにアンテナ部４０を配置させた構成であっても構わない。また、表示領域２１ａの各辺に沿った４つの領域のうち、複数の領域にアンテナ部４０が設けられた構成であっても構わない。この場合、アンテナ部４０が一体であっても構わないし、分割されていても構わない。
【００１７】
図４は、アンテナ部４０の接続状態を示す図である。図４においては、図示を判別しやすくするため、一部の構成（例えば、接着剤２５など）を省略して示している。  
図４に示すように、アンテナ部４０の一部は、半田部４１及び同軸ケーブル４２を介して、筐体１０の内部に設けられた回路基板Ｓ上のコネクタＣＮに接続されている。なお、当該コネクタＣＮは、回路基板Ｓ上の不図示の配線を介して、回路基板Ｓに設けられた制御装置ＣＯＮＴに接続されている。
【００１８】
制御装置ＣＯＮＴは、携帯情報端末１００の動作を統括的に制御する。  
図５は、制御装置ＣＯＮＴの構成を示すブロック図である。  
図５に示すように、制御装置ＣＯＮＴは、処理部５１、入力部５２、出力部５３、記憶部５４、通信部５５及び電源部５６を有している。
【００１９】
処理部５１は、携帯情報端末１００の統括的な演算処理を行う。入力部５２は、携帯情報端末１００に対して入力を行う部分である。入力部５２としては、上記の側部検出部３１〜３４や表示部検出部５２ｂ、また、入力部５２として、例えば姿勢検出部５２ｃなどのセンサが設けられている。この他、入力部５２として、例えばマイクなどの不図示の音声入力部が設けられていても構わない。
【００２０】
表示部検出部５２ｂは、タッチパネルにおける接触の有無及び接触位置を検出する。姿勢検出部５２ｃは、携帯情報端末１００の姿勢を検出するセンサである。姿勢検出部５２ｃとしては、例えば３軸加速度センサやジャイロセンサ、地磁気センサなどが設けられている。
【００２１】
出力部５３は、画像や音声などを出力する。出力部５３としては、例えば画像を表示する上記の表示部２０や、音声の出力を制御する音声出力部５３ｂなどが挙げられる。音声出力部５３ｂは、例えば、側部検出部３１〜３４に設けられる圧電素子を振動させることで、当該側部検出部３１〜３４から音声を出力することができるようになっている。当該音声出力部５３ｂは、圧電素子の振動の振幅や周波数などを調整可能である。
【００２２】
記憶部５４は、処理部５１による演算結果や入力部５２に入力させる入力情報、出力部５３によって出力させる出力情報（例、画像データ、音声データ）、通信部５５を介して通信する情報などを記憶する。
【００２３】
通信部５５は、上記のアンテナ部４０を有している。通信部５５は、外部との間でアンテナ部４０を用いて無線方式によって情報の通信が可能となるように構成されている。電源部５６は、携帯情報端末１００に電力を供給するための電源が配置されている。電源部５６としては、例えば電池やバッテリー等が挙げられる。
【００２４】
次に、上記のように構成された携帯情報端末１００の動作を説明する。  
携帯情報端末１００では、記憶部５４に記憶された画像データやアンテナ部４０及び通信部５５を介して通信された画像データが表示部２０に出力され、画像として表示される。また、同様に記憶部５４に記憶された音声データが音声出力部５３ｂの制御によって出力される。更に、外部との間でこれら画像データ及び音声データを含むデータの通信が行われる。
【００２５】
制御装置ＣＯＮＴでは、不図示のタッチパネルからの入力、側部検出部３１、３３、３４からの入力、の両方に対応するように処理を行わせる。このとき、ユーザは、携帯情報端末１００の筐体１０を手で持った状態で上記の入力を行うことになる。この場合において、例えば筐体１０の外表面にフィルムアンテナが設けられた構成では、例えばユーザによって筐体が保持されると、当該ユーザの手がアンテナに触れたり、ユーザの手でフィルムアンテナが覆われてしまったりして、通信感度が低下する場合ある。
【００２６】
これに対して、本実施形態では、アンテナ部４０が筐体１０の内部に設けられているため、ユーザが筐体１０を手で保持したままの状態で入力を行った場合であっても、ユーザの手がアンテナ部４０に触れるのを回避することができる。また、本実施形態では、アンテナ部４０が表示領域２１ａに沿った部分に設けられているため、ユーザの手でアンテナ部４０が覆われる機会を減少させることができる。これにより、通信感度に優れた携帯情報端末１００を得ることができる。
【００２７】
本発明の技術範囲は上記実施形態に限定されるものではなく、本発明の趣旨を逸脱しない範囲で適宜変更を加えることができる。  
例えば、上記実施形態においては、遮光膜２４の構成として、樹脂材料にカーボンなどの黒色粒子が混合された構成を例に挙げて説明したが、これに限られることは無い。例えば、遮光膜２４が高い誘電率を有するように、絶縁材料を混合させる構成であっても構わない。この場合、アンテナ部４０の受信波長を短くすることができるため、アンテナ部４０の寸法を短くすることができる。
【００２８】
また、上記実施形態においては、アンテナ部４０が保護基板２３の第二面２３ｂ側に設けられた構成を例に挙げて説明したが、これに限られることは無い。例えば、筐体１０のうち保護基板２３に接着される部分（保護基板２３との対向部分）にアンテナ部４０が設けられた構成であっても構わない。
【００２９】
また、例えば、上記実施形態においては、側部検出部３１〜３４が筐体１０の側面１０ａ〜１０ｄのそれぞれに配置された構成を例に挙げて説明したが、これに限られることは無い。例えば、側部検出部が側面１０ａ〜１０ｄのうち１面以上３面以下の面に設けられている構成であっても構わない。
【００３０】
また、上記実施形態においては、表示部２０の表面にタッチパネルが設けられた構成を例に挙げて説明したが、これに限られることは無く、タッチパネルが設けられない構成であっても構わない。この場合、操作部３０に設けられる側部検出部３１〜３４を用いて操作する構成となる。この構成により、タッチパネルを設けなくても高い操作性を得ることができるため、携帯情報端末の低コスト化を図ることができる。
【００３１】
また、上記実施形態においては、姿勢検出部５２ｃにより筐体１０の姿勢を検出し、検出結果に基づいて表示部２０における表示を切り替えるように制御する態様を例に挙げて説明したが、これに限られることは無い。例えば、姿勢検出部５２ｃの検出結果によらず一定の表示を行わせるように制御しても構わない。また、姿勢検出部５２ｃの検出結果に基づいて表示を切り替えるモードと、検出結果によらず一定の表示を行わせるモードとをユーザが設定可能な態様であっても構わない。
【符号の説明】
【００３２】
ＣＯＮＴ…制御装置  １００…携帯情報端末  １０…筐体  ２０…表示部  ２１…表示領域  ２３…保護基板  ２３ｂ…第二面  ３０…操作部  ４０…アンテナ部  １１…表示面  １０ａ〜１０ｄ…側面  ３１〜３４…側部検出部  Ｓ…回路基板
【図１】
2013038650.tif 000003
【図２】
2013038650.tif 000004
【図３】
2013038650.tif 000005
【図４】
2013038650.tif 000006
【図５】
2013038650.tif 000007